(57)【特許請求の範囲】
【請求項１】
複数のバンドパーツが連結されて構成されたバンド部と、
前記バンド部両端と連結し、圧入ピンの挿入によってバンド部両端間の距離を調整するブラケット部を備え、
前記ブラケットは２つの板上部のそれぞれの１つの端部同士が接続し、他のそれぞれの端部が前記バンド部両端と連結するＶ字状の構造を有し、前記板状部には圧入ピンの挿入、移動が可能な溝がそれぞれ形成されていることを特徴とするバンド。
【請求項２】
前記圧入ピンは、両端部が中央部より径が大きい棒状部材であり、前記溝中に挿入、移動されるとき該両端部が板上部材にその間隔を狭めるように圧力を加えることを特徴とする請求項１記載のバンド。
【発明の詳細な説明】
【０００１】
【発明の属する技術分野】
本発明は、ポールに各種電子機器等を取り付ける際に用いるバンドに関し、特に、長さの調整が可能で、かつ固定用ネジを使用せず容易に締め付け調整が可能なロック機構を備えるバンドに関する。
【０００２】
【従来の技術】
図１０に示すように、従来、ポール１００へアンテナ１０１等の電子装置を取り付ける場合、アンテナ側の固定用金具とアンテナ取付け用金具１０２は固定ネジによって接続、固定される。
また、特開平５−２８７９３８は、電柱上で工事を行う場合、必要な工具等を一時的に置くための荷物支持テーブルを電柱に設置するため、布製バンドとバックルによって作業台支持部材を電柱に簡易に固定する携帯用柱上荷物支持具を開示している。
【０００３】
【発明が解決しようとする課題】
しかし、図１０に示すような構成では、固定ネジを用いるため、高所や寒冷地等の作業環境の厳しい場所での取付作業は困難である。またポール径およびポール形状によって様々な形状の金具を予め準備しておかねばならない。一方、上記公報に開示された構成では、電柱に布製バンドとバックルで固定するため、取り付け操作は容易であり、太さの異なる各種の電柱に対応できるが、固定力が弱く、ある程度以上の重量を有する装置を電柱に取り付けることは困難である。
【０００４】
従って、本発明の目的は、長さの調整が可能であり、工具なしで確実、簡便に、ある程度以上の重量物をポールに設置することのできるバンドを提供することにある。
【０００５】
【課題を解決するための手段】
本発明は上記目的を達成するために、複数のバンドパーツが連結されて構成されたバンド部と、前記バンド部両端と連結し、圧入ピンの挿入によってバンド部両端間の距離を調整するブラケット部を備え、前記ブラケットは２つの板上部のそれぞれの１つの端部同士が接続し、他のそれぞれの端部が前記バンド部両端と連結するＶ字状の構造を有し、前記板状部には圧入ピンの挿入、移動が可能な溝がそれぞれ形成されていることを特徴とするバンドを提供する。
【０００６】
本発明の別の様態では、上記目的を達成するために、前記圧入ピンは、両端部が中央部より径が大きい棒状部材であり、前記溝中に挿入、移動されるとき該両端部が板上部材にその間隔を狭めるように圧力を加えることを特徴とする構成としてもよい。
【０００７】
上記構成のバンドを用いることにより、ポールの大きさ、形状にかかわらず、簡易に電子機器を取り付けることが可能になる。
【０００８】
【発明の実施の形態】
図１は、本発明の第１のバンドの例を示す分解斜視図である。このバンドは、バンド部６と、ロック部７と、バックル部８を備える。バンド部６は、多数のバンドパーツ１が互いに連結して構成される。バンドパーツ１は、図２に示されたように、円柱状の連結ピン２と連結ピン収納部３が所定形状の結合部材で結合された構成を有する。連結ピン収納部３は、円筒形状を有し、端部と側面部に連結ピン挿入部４と上記結合部材取り出し孔５が連続した１つの開口部として形成されている。バンドパーツ１同士を連結するときは、バンドパーツ１の連結ピン２を別のバンドパーツ１の連結ピン収納部３の挿入部４から挿入する。挿入後、バンドパーツ１を所定の角度だけ回転させ、結合部材を取り出し孔５から取り出すようにする。このときバンドパーツ１同士は取り出し孔５の方向に結合され、また結合後の多少の回転によってはずれることはない。またバンド部６の長さはこのバンドパーツ１の個数を変えることによって調整することができる。
【０００９】
ロック部７は、複数の溝部が形成された板状部材２０を備え、該板状部材２０にはバンドパーツ１と連結するための連結部が取り付けられている。図１の例では、該連結部はバンドパーツ１の連結ピン収納部３と同じ構造を有し、バンド端部の連結ピンと連結する。この例と異なり、板状部材２０に取り付けられる連結部は連結ピンと２と同じ構造でもよい。
【００１０】
バックル部８は、上記ロック部７の溝と嵌め合うピン９をその一方の端部に有する。またバックル部８の中央部からややピン９よりの位置にそれぞれコイルばね１０が回転可能に取り付けられている。これらコイルばね１０の端部にはバンドパーツ１と連結するための連結部が取り付けられている。図１の例では、この連結部は、連結ピン２と同じ形状を有している。しかし、連結ピン収納部３と同じ構造の連結部も可能である。バックル部８において、上記ピン９に隣接する領域にはピン９を支持する部材を除いて他の部材を配置せず、空孔状にしておくことが望ましい。
【００１１】
次に、上記バンドの組み立てについて説明する。図３のように、まずロック部７をバンド部６の一方の端部に取り付け、またバックル部８をバンド部６の他方の端部に取り付ける。次に、図４のように、ロック部７とバックル部８を近接させ、該バックル部８のピン９をロック部７の板状部材に形成された溝に嵌め合わせる。つぎに、ピン９と溝を嵌め合わせたまま、コイルばね１０を引っ張るようにして、バックル部８の端部（ピン９の位置と反対側の端部）をバンド部６と接するように倒す（図５）。バックル部８は、図５に示された状態で安定して固定される。この状態は、バックル部８において、ピン９、コイルばね取り付け部、ピン９と反対側のバックル端部の適切な位置関係によって実現できる。特に、これら３つの位置は同一平面上になく、コイルばね取り付け部がバンドの外部方向へわずかに突出した配置とする。
【００１２】
バンドの全長を調整する場合、大きな調整は、バンドパーツ１の個数を増減させることにより行い、小さな調整はピン９を嵌め合わせる溝の選択により行う。さらにコイルばねの伸縮が微調整を実現する。バンドが組み立てられた状態、すなわち上述のバンドを用いてポールに装置を取り付けた状態では、バンド全長はポール外周の長さより短く、すなわちバンドコイルばねには常に所定のひっぱり応力が生じる状態でなければならない。このとき、バンドはポールに強く固定され電子装置を保持する。
【００１３】
図６、図７、図８は、本発明のバンドを用いて電子装置１２をポール１１に取り付けた状態を示す。図６は比較的軽量の装置を円柱のポールに取り付けた状態であり、１個のバンドが用いられている。図７は大型の電子装置を円柱ポールに２個のバンドで取り付けた状態を示す。図８は、角型のポールに２個のバンドで電子装置を取り付けた状態である。
【００１４】
次に、第２の発明のバンドの構成を図９に示す。バンドパーツ１とバンド部６の構造は上述と同じである。図９のバンドでは、バンド部６の両端部がブラケット１２と連結している。ブラケット１３は、２枚の板がＶ字状の構造を形成している。すなわち２つの板状部のそれぞれの１つの端部同士が結合し、他のそれぞれの端部は前記バンド部と連結する。２つの板状部のバンド連結部はバンドパーツの連結ピンまたは連結ピン収納部と同じ構造を有する。２つの板状部にはそれぞれＬ字状の圧入ピン挿入溝１４が形成されている。この挿入溝１４の先端は、バンド部６と連結している板状部の端部近傍まで伸びている。ブラケット１２がバンド両端部と接続している状態で、両端に鍔部を備えた所定長さの圧入ピン１５を上記挿入溝１４に挿入し、バンド部の方に近づけていくと、上記鍔部が板状部に圧力を加え、次第に２つの板状部の間隔が狭まる。鍔部はブラケット側と接する面が曲面になっていることが望ましい。また鍔部が球状あるいは半球状の形状でもよい。この圧入ピンによって、バンド部両端部の間隔が狭まり、バンドはポールに強く固定される。
【００１５】
【発明の効果】
以上のように本発明のバンドは固定用金具を固定ネジにより取り付ける従来の構成と異なり、工具なしで、簡易、確実に電子装置等をポールに設置できる。このため高所や寒冷地等作業環境の厳しい場所での取付作業が従来に比べ大幅に容易になる。
【図面の簡単な説明】
【図１】本発明のバンドの分解斜視図。
【図２】バンド部を構成するバンドパーツの斜視図。
【図３】本発明のバンドの組立過程を示す斜視図。
【図４】本発明のバンドの組立過程を示す斜視図。
【図５】本発明のバンドの組立過程を示す斜視図。
【図６】本発明のバンドにより電子装置がポールに取り付けられた状態を示す斜視図。
【図７】本発明のバンドにより電子装置がポールに取り付けられた状態を示す斜視図。
【図８】本発明のバンドにより電子装置がポールに取り付けられた状態を示す斜視図。
【図９】本発明のバンドの他の例を示す斜視図。
【図１０】従来の方法により電子装置がポールに取り付けられた状態を示す斜視図。
【符号の説明】
１    バンドパーツ
２    連結ピン
３    連結ピン収納部
４    連結ピン挿入部
５    結合部材取り出し孔
６    バンド部
７    ロック部
８    バックル部
９    ピン
１０    コイルばね
１３    ブラケット
１４    圧入ピン挿入溝
１５    圧入ピン
【図１】
0003775254.tif 000002
【図２】
0003775254.tif 000003
【図３】
0003775254.tif 000004
【図４】
0003775254.tif 000005
【図５】
0003775254.tif 000006
【図６】
0003775254.tif 000007
【図７】
0003775254.tif 000008
【図８】
0003775254.tif 000009
【図９】
0003775254.tif 000010
【図１０】
0003775254.tif 000011